(57)【特許請求の範囲】
【請求項１】
鏡と該鏡の背面側に光源を有した照明装置とを備えていると共に壁面に取付けられる照明装置付き鏡であって、
前記光源の発する光が、前記鏡と並行する直進光と、前記鏡に近づく接近光と、前記鏡から遠ざかる離隔光とからなり、
前記照明装置が、光を透過しない不透過性部材と、該不透過性部材と接続されると共に前記離隔光を透過する背面透光部材とを備え、
前記光源が、前記直進光を前記不透過性部材に向けて放射しており、
前記光源と前記壁面との間に位置している前記背面透光部材が、前記鏡の背面と並行に配置されている、または前記鏡の背面方向に膨出している膨出部を備えていることを特徴とする照明装置付き鏡。
【請求項２】
前記不透過性部材が、前記直進光を反射する第一反射面を備えており、
前記照明装置が、前記鏡の前面と並行していると共に前記鏡の縁部より外方に前面透光部材を備えており、
前記第一反射面が、前記直進光を前記前面透光部材に向けて反射させていることを特徴とする請求項１に記載の照明装置付き鏡。
【請求項３】
前記不透過性部材の一端が、前記前面透光部材と接続されていることを特徴とする請求項２に記載の照明装置付き鏡。
【請求項４】
前記照明装置が、前記接近光を反射する第二反射面を備えており、
前記第二反射面が、前記接近光を前記背面透光部材に向けて反射させていることを特徴とする請求項２または請求項３に記載の照明装置付き鏡。
【請求項５】
鏡と該鏡の背面側に光源を有した照明装置とを備えていると共に壁面に取付けられる照明装置付き鏡であって、
前記照明装置が、前記光源に対向すると共に光を透過しない不透過性部材と、該不透過性部材の一端と接続される背面透光部材とを備えており、
前記光源と前記壁面との間に配置されている前記背面透光部材が、前記鏡の背面と並行に配置されている、または前記鏡の背面方向に膨出している膨出部を有していることを特徴とする照明装置付き鏡。
【発明の詳細な説明】
【技術分野】
【０００１】
本発明は、鏡と該鏡の背面側に光源を有した照明装置とを備えていると共に壁面に取付けられる照明装置付き鏡に関する。
【背景技術】
【０００２】
従来、パブリックトイレの洗面空間の鏡において、鏡裏側に照明装置を備え、鏡周辺の壁に向けて光を放射し、間接照明により空間を演出する鏡がある（例えば、特許文献１。）。
【０００３】
特許文献１に記載されている照明装置は、衛生設備室の壁面より一定距離突出した状態かつ左右の端縁を対応する左右の壁面より離隔した状態にミラーを取り付けて、このミラーの裏面と壁面との間に空間を形成し、この空間の上下及び左右部位に照明器具を配置して、この照明器具からの光をミラーの裏面側より上方と下方及び左右両側方に放射している。
【先行技術文献】
【特許文献】
【０００４】
【特許文献１】実開平２−１１２１９３号公報
【発明の概要】
【発明が解決しようとする課題】
【０００５】
しかしながら、このような特許文献１に記載されている照明装置の場合、施工状態によってはミラーの裏面と壁面との間に設けた照明器具が照明装置近傍にいる人間に見えてしまう。
このときの高輝度の光源である照明器具が直接目に入ってくる直接グレアという現象が発生する。
【０００６】
あるいは、照明装置が取り付けられる壁面、隣接する鏡（あるいは鏡面仕上げされた壁面）もしくは窓ガラスに照明器具が映りこんでしまう間接グレアという現象が発生する。
【０００７】
そこで、本発明は、前述したような従来技術の問題を解決するものであって、すなわち、本発明の目的は、直接グレアおよび間接グレアを抑制する照明装置付き鏡を提供することにある。
【課題を解決するための手段】
【０００８】
本請求項１に係る発明は、鏡と該鏡の背面側に光源を有した照明装置とを備えていると共に壁面に取付けられる照明装置付き鏡であって、前記光源の発する光が、前記鏡と並行する直進光と、前記鏡に近づく接近光と、前記鏡から遠ざかる離隔光とからなり、前記照明装置が、光を透過しない不透過性部材と、該不透過性部材と接続されると共に前記離隔光を透過する背面透光部材とを備え、前記光源が、前記直進光を前記不透過性部材に向けて放射しており、前記光源と前記壁面との間に位置している前記背面透光部材が、前記鏡の背面と並行に配置されている、または前記鏡の背面方向に膨出している膨出部を備えていることにより、前述した課題を解決するものである。
【０００９】
本発明の請求項１に係る発明の照明装置付き鏡は、鏡と鏡の背面に光源を有した照明装置とを備えていることにより、光源の発する光が壁面などに当たった際の反射光により周囲を照らすため、間接照明として鏡の背面の空間を演出できるばかりでなく、以下の特有の構成に対応した格別の効果を奏する。
【００１０】
すなわち、本請求項１に係る発明の照明装置付き鏡は、光源が、直進光を不透過性部材に向けて放射していることにより、光源から出た直進光が不透過性部材に向かって放射されるため、直進光が直接人間の目につかず、直進光起因の直接グレアを抑制することができる。
また、背面透光部材の膨出部が、鏡の背面と並行に配置されている、または鏡の背面方向に膨出していることにより、鏡より前方から背面投光部材が見えにくくなるため、離隔光起因の直接グレアを抑制することができることに加え、照明装置が壁面側への突出部を有していないため、照明装置付き鏡の周囲に照明装置が映りこみ難く、照明が映りこむような離隔光起因の間接グレアを抑制することができる。
【００１１】
本請求項２に係る発明は、請求項１に記載された照明装置付き鏡の構成に加えて、前記不透過性部材が、前記直進光を反射する第一反射面を備えており、前記照明装置が、前記鏡の前面と並行していると共に前記鏡の縁部より外方に前面透光部材を備えており、前記第一反射面が、前記直進光を前記前面透光部材に向けて反射させていることにより、前述した課題を解決するものである。
【００１２】
本請求項２に係る発明の照明装置付き鏡は、請求項１に係る発明が奏する効果に加えて、第一反射面が、直進光を前面透光部材に向けて反射させていることにより、光源から出た直進光が第一反射面で反射した後に前面透光部材から使用者に向かって放射されるため、鏡の前に立つ使用者を明るく照らすことができる。
【００１３】
本請求項３に係る発明は、請求項２に記載された照明装置付き鏡の構成に加えて、前記不透過性部材の一端が、前記前面透光部材と接続されていることにより、前述した課題を解決するものである。
【００１４】
本請求項３に係る発明の照明装置付き鏡は、請求項２に係る発明が奏する効果に加えて、不透過性部材の一端が、前面透光部材と接続されていることにより、不透過性部材の一端が前面透光部材と接続されていない場合と比べて、直進光が直接人間の目につかなくなるため、直進光起因の直接グレアを抑制することができる。
【００１５】
本請求項４に係る発明は、請求項２または請求項３に記載された照明装置付き鏡の構成に加えて、前記照明装置が、前記接近光を反射する第二反射面を備えており、前記第二反射面が、前記接近光を前記背面透光部材に向けて反射させていることにより、前述した課題を解決するものである。
【００１６】
本請求項４に係る発明の照明装置付き鏡は、請求項２または請求項３に係る発明が奏する効果に加えて、第二反射面が、接近光を背面透光部材に向けて反射させていることにより、光源から出た接近光が鏡の背面側の第二反射面で反射した後に照明装置内に設けられた背面透光部材から離隔光と共に壁面に向かって放射されるため、接近光も間接照明の一部となり、より明るく鏡の背面の空間を演出できる。
【００１７】
本請求項５に係る発明は、鏡と該鏡の背面側に光源を有した照明装置とを備えていると共に壁面に取付けられる照明装置付き鏡であって、前記照明装置が、前記光源に対向すると共に光を透過しない不透過性部材と、該不透過性部材の一端と接続される背面透光部材とを備えており、前記光源と前記壁面との間に配置されている前記背面透光部材が、前記鏡の背面と並行に配置されている、または前記鏡の背面方向に膨出している膨出部を有していることにより、前述した課題を解決するものである。
【００１８】
本請求項５に係る発明の照明装置付き鏡は、鏡と鏡の背面側に光源を有した照明装置とを備えていることにより、照明装置の発する光が壁面などに当たった際の反射光により周囲を照らすため、間接照明として鏡の背面の空間を演出できる。
また、背面透光部材の膨出部が、鏡の背面と並行に配置されている、または鏡の背面方向に膨出していることにより、鏡より前方から背面投光部材が見えにくくなるため、照明装置が直接見えてしまう直接グレアを抑制することができることに加え、照明装置が壁面側への突出部を有していないため、照明装置付き鏡の周囲に照明装置が映りこみ難く、照明が映りこむような間接グレアを抑制することができる。
【発明の効果】
【００１９】
本発明により、直接グレアおよび間接グレアを抑制することができる。
【図面の簡単な説明】
【００２０】
【図１】本発明の実施形態の照明装置付き鏡を備える洗面空間の正面図。
【図２】図１のＡ−Ａ断面図。
【図３】ＬＥＤから放たれる放射光の光路を示すＡ−Ａ断面図。
【図４】本発明の実施形態の変形例におけるＡ−Ａ断面図。
【発明を実施するための形態】
【００２１】
以下に、本発明の実施形態である照明装置付き鏡について、図１乃至図４に基づいて説明する。
【００２２】
＜１．  洗面空間の概要＞
図１は本発明の実施形態の照明装置付き鏡１００を備える洗面空間の正面図である。
【００２３】
洗面空間には、洗面台Ｌおよび洗面台Ｌの上方に照明装置付き鏡１００が設置されている。
そして、洗面台Ｌおよび照明装置付き鏡１００は、拡散性および反射率が高い壁面Ｗに取り付けられている。
【００２４】
なお、図１においては洗面台Ｌおよび照明装置付き鏡１００がそれぞれ３台設置されているが、３台に限定されるものではない。
【００２５】
＜２．  照明装置付き鏡の概要＞
図２は図１におけるＡ−Ａ断面図であり、図１から照明装置付き鏡１００は左右対称であるため、図２では照明装置付き鏡１００の片側のみを示している。
【００２６】
照明装置付き鏡１００は、照明装置付き鏡１００を壁面Ｗに固定するための基部１１０と、凹凸および湾曲の少ない平坦な鏡１２０と、この鏡１２０の背面側に照明装置１３０とを備えている。
【００２７】
＜２．１．  基部の構造＞
基部１１０は、照明装置付き鏡１００よりも厚く（例えば１１５ｍｍ以上）、コの字状のふかし部材１１１を備えており、このふかし部材１１１が壁面Ｗに固定されている。
これにより、照明装置付き鏡１００は、基部１１０のふかし部材１１１を介して壁面Ｗに固定されると共に壁面Ｗと離間対向する。
【００２８】
そして、ふかし部材１１１の鏡１２０側に向けた開口１１１ａは、平板状のベースプレート１１２によって閉塞されている。
【００２９】
ベースプレート１１２は、鉛直方向の両端部に設けられた鏡固定金具（図示されない）によって鏡１２０を保持している。
さらに、ベースプレート１１２は、水平方向（鏡１２０の幅方向；以下同じ）の端部かつ鉛直方向の複数個所で、連結ネジ１１３により後述する照明装置１３０と連結されている。
【００３０】
＜２．２．  照明装置の構造＞
【００３１】
次に照明装置１３０の構造について説明する。
照明装置１３０は鏡１２０の背面側かつ側方にあり、鏡１２０と高さがおおよそ同じである（図１参照。）。
【００３２】
照明装置１３０は、おおよそＵ字型のＬＥＤ固定金具１３５の底部に取り付けられたＬＥＤ付基板１３１を鉛直方向に複数個備えている。
そして、ＬＥＤ付基板１３１は、ＬＥＤ（光源）１３１ａを鉛直方向に複数個備えている。
【００３３】
ＬＥＤ１３１ａは、鏡１２０と直行しており、水平方向かつ鏡１２０から遠ざかる方向に光を放射する（ＬＥＤ１３１ａから放射される光については後述する。）。
なお、本実施形態においてＬＥＤ１３１ａの広がり角はおおよそ１２０度であるが、この広がり角は一例に過ぎず、１２０度に限定されるものではない。
【００３４】
さらに照明装置１３０は、ＬＥＤ１３１ａと対向する位置に光を透過しない不透過性部材１３２を備えている。
不透過性部材１３２は、光をほとんど透さない程度（例えば、透過率が３％以下）に灰色に着色されたアクリル樹脂で形成されており、鏡１２０と垂直な垂直部１３２ａと、垂直部１３２ａと連続し垂直部１３２ａからＬＥＤ１３１ａ側に傾いている傾斜部１３２ｂと、傾斜部１３２ｂと連続し水平方向に伸びる水平部１３２ｃの３つの部分を含んでいる。
さらに、傾斜部１３２ｂのＬＥＤ１３１ａ側には、反射率の高い（例えば、反射率が９０％以上）光反射シートにより形成された第一反射面１３２ｄが設けられている。
【００３５】
また、照明装置１３０は、不透過性部材１３２の水平部１３２ｃの端部と接続される背面透光部材１３３を備えており、不透過性部材１３２と背面透光部材１３３とが隙間なく接続されている。
背面透光部材１３３は、ＬＥＤ１３１ａと壁面Ｗとの間に位置しており、鏡１２０の背面１２３と並行である。
なお、前述した基部１１０と照明装置１２０とを連結する連結ネジ１１３は、具体的にはベースプレート１１２と背面透光部材１３３とＬＥＤ固定金具１３５とを連結している。
【００３６】
また、照明装置１３０は、不透過性部材１３２の垂直部１３２ａの端部と接続される前面透光部材１３４を備えており、不透過性部材１３２と前面透過部材１３４とが隙間なく接続されている。
前面透光部材１３４は、鏡１２０の前面１２２とおおよそ面一であり、鏡１２０の縁部１２１より外方に位置している透光部１３４ａと、この透光部１３４ａと接続されていると共に鏡１２０の厚み程度後方にある鏡対向部１３４ｂとを有している。
さらに、鏡対向部１３４ｂの壁面Ｗ側には、鏡１２０と並行な第二反射面１３４ｃが設けられている。
【００３７】
なお、ＬＥＤ固定金具１３５は、連結ネジ１１３によって背面透光部材１３３に連結されているだけでなく、締結ネジ１３６によって前面透光部材１３４にも締結されている。
＜３．  放射光の光路＞
【００３８】
続いて、ＬＥＤ１３１ａから放たれる放射光の光路について、図３を用いて説明する。
【００３９】
前述したようにＬＥＤ１３１ａから放たれる放射光の広がり角は１８０度以下（例えば、約１２０度）であることから、ＬＥＤ１３１ａから放たれる放射光は鏡１２０の端部に向かって放たれている。
そして、このＬＥＤ１３１ａから放たれる放射光は、鏡１２０と並行する直進光ＳＬと、鏡１２０に近づく接近光ＡＬと、鏡１２０から遠ざかる離隔光ＬＬとの３種類に大別することができる。
【００４０】
＜３．１．  直進光の光路＞
まず、鏡１２０と並行する直進光ＳＬについて説明する。
ＬＥＤ１３１ａから放たれた直進光ＳＬは、ＬＥＤ１３１ａと対向する不透過性部材１３２に向かう。
そして、直進光ＳＬは、不透過性部材１３２の第一反射面１３２ｄを反射して、前面透光部材１３４に向かう。
【００４１】
なお、不透過性部材１３２と前面透過部材１３４とが隙間なく接続されているため、直進光ＳＬが如何なる物体にも反射せずに人間の目に向かうことはない（すなわち、直進光ＳＬが直接人間の目に向かうことがない。）。
【００４２】
また、傾斜部１３２ｂおよび第一反射面１３２ｄの垂直部１３２ａに対する傾きが４５度以下であるため、第一反射面１３２ｄを反射した直進光ＳＬは鏡１２０に対して垂直に放射されず、鏡１２０に向かって放射される。
このように第一反射面１３２ｄの傾きを規定していることにより、効率的に鏡１２０の前に立つ使用者を照らすことができる。
【００４３】
＜３．２．  接近光の光路＞
次いで、鏡１２０に近づく接近光ＡＬについて説明する。
ＬＥＤ１３１ａから放たれた接近光ＡＬは、ＬＥＤ１３１ａより鏡１２０側にある前面透光部材１３４に向かう。
そして、接近光ＡＬは、前面透光部材１３４の第二反射面１３４ｃを反射した後、背面透光部材１３３を透過して、壁面Ｗに向かう。
【００４４】
前述したように、壁面Ｗは拡散性および反射率が高いため、接近光ＡＬが壁面Ｗに放射されると洗面空間の間接照明として機能する。
【００４５】
＜３．３．  離隔光の光路＞
次いで、鏡１２０から遠ざかる離隔光ＬＬについて説明する。
【００４６】
ＬＥＤ１３１ａから放たれた離隔光ＬＬは、背面透光部材１３３を直接透過して、壁面Ｗに向かう。
【００４７】
前述したように、壁面Ｗは拡散性および反射率が高いため、離隔光ＬＬは壁面Ｗに放射されると、接近光ＡＬと同様に洗面空間の間接照明として機能する。
【００４８】
＜３．４．  背面透光部材の形状について＞
以上述べたように、接近光ＡＬおよび離隔光ＬＬは背面透光部材１３３を透過して、壁面Ｗに向かう。
このとき、背面透光部材１３３が鏡１２０の背面１２３と並行であるため、壁面Ｗを含む照明装置付き鏡１００周囲の壁（壁面と垂直な鏡面壁、鏡面の仕切り材、窓ガラス等）に背面透光部材１３３が映り込むことを殆どない。
【００４９】
＜４．  本実施形態の効果＞
このようにして得られた本実施形態の照明装置付き鏡１００は、鏡１２０と鏡１２０の背面１２３に光源であるＬＥＤ１３１ａを有した照明装置１３０とを備えていることにより、ＬＥＤ１３１ａの発する光が壁面Ｗなどに当たった際の反射光により周囲を照らすため、間接照明として鏡１２０の背面１２３の空間を演出できる。
【００５０】
さらに、ＬＥＤ１３１ａが、直進光ＳＬを不透過性部材１３２に向けて放射していることにより、ＬＥＤ１３１ａから出た直進光ＳＬが不透過性部材１３２に向かって放射されるため、直進光ＳＬが直接人間の目につかず、直進光ＳＬ起因の直接グレアを抑制することができる。
【００５１】
さらに、第一反射面１３２ｄが、直進光ＳＬを前面透光部材１３４に向けて反射させていることにより、ＬＥＤ１３１ａから出た直進光ＳＬが第一反射面１３２ｄで反射した後に前面透光部材１３４から使用者に向かって放射されるため、鏡１２０の前に立つ使用者を明るく照らすことができる。
【００５２】
さらに、不透過性部材１３２の一端が、前面透光部材１３４と接続されていることにより、不透過性部材１３２の一端が前面透光部材１３４と接続されていない場合と比べて、直進光ＳＬが直接人間の目につかなくなるため、直進光ＳＬ起因の直接グレアを抑制することができる。
【００５３】
さらに、第二反射面１３４ｃが、接近光ＡＬを背面透光部材１３３に向けて反射させていることにより、ＬＥＤ１３１ａから出た接近光ＡＬが鏡１２０の背面１２３側の第二反射面１３４ｃで反射した後に照明装置１３０内に設けられた背面透光部材１３３から離隔光ＬＬと共に壁面Ｗに向かって放射されるため、接近光ＡＬも間接照明１３０の一部となり、より明るく鏡１２０の背面１２３の空間を演出できる。
【００５４】
＜５．  変形例＞
以上、本発明を実施するための形態について説明したが、本発明は上記に限定されるものではない。
本発明は、鏡と該鏡の背面側に光源を有した照明装置とを備えていると共に壁面に取付けられる照明装置付き鏡であって、前記光源の発する光が、前記鏡と並行する直進光と、前記鏡に近づく接近光と、前記鏡から遠ざかる離隔光とからなり、前記照明装置が、光を透過しない不透過性部材と、該不透過性部材と接続されると共に前記離隔光を透過する背面透光部材とを備え、前記光源が、前記直進光を前記不透過性部材に向けて放射しており、前記光源と前記壁面との間に位置している前記背面透光部材が、前記鏡の背面と並行に配置されている、または前記鏡の背面方向に膨出している膨出部を備えているものであり、直接グレアおよび間接グレアを抑制することができるものであれば、その具体的な実施態様は、如何なるものであっても構わない。
【００５５】
例えば、本実施形態において背面透光部材１３３は、鏡１２０の背面１２３と並行であるが、本実施形態の変形例である図４のように、背面透光部材１３３が鏡１２０の背面１２３方向に膨出している膨出部１３３ａを有していても良い。
これにより、鏡１２０より前方から背面投光部材１３３が見えにくくなるため、離隔光ＬＬ起因の直接グレアを抑制することができることに加え、照明装置１３０が壁面Ｗ側への突出部を有していないため、照明装置付き鏡１００の周囲に照明装置１３０が映りこみ難く、照明が映りこむような離隔光ＬＬ起因の間接グレアを抑制することができる。
【００５６】
また、本実施形態において光源としてＬＥＤを用いていたが、蛍光灯やエレクトロルミネセンスなどの他の光源であってもよい。
【００５７】
また、第一反射面および第二反射面は、反射率が高いものであれば、本実施形態で述べたような高反射シートのようなものを貼付してもよいし、銀メッキなどのコーティングでもよく、具体的な実施態様は、如何なるものであっても構わない。
【００５８】
また、不透過性部材は、光をほとんど透さないものであれば、本実施形態で述べたような灰色に着色されたアクリル樹脂に限らず、プラめっきやアルミシート貼りでもよく、具体的な実施態様は、如何なるものであっても構わない。
【００５９】
また、前面透光部材および背面透光部材は、全光線透過率６０％程度の乳白色のアクリル樹脂のようなものであれば具体的な実施態様は、如何なるものであっても構わない。
【００６０】
また、本実施形態においては第一傾斜面の傾きは垂直部に対して４５度以下であるとしたが、この傾きをおおよそ４５度として、ＬＥＤから放たれた直進光を鏡に対して垂直になるように反射してもよい。
【００６１】
また、壁面は、つや消し塗装、木材、クロス、左官仕上げ、コンクリート打ちっぱなしのように、拡散性が高ければ具体的な実施態様は、如何なるものであっても構わない。
壁面の拡散性を高めることで、光源の映りこみを減らすことができる。
【００６２】
また、前述した実施形態が備える各要素は、技術的に可能である限り組み合わせることができ、これらを組み合わせたものも本発明の特徴を含む限り本発明の範囲に包含される。
【符号の説明】
【００６３】
１００  ・・・  照明装置付き鏡
１１０  ・・・  基部
１１１  ・・・  ふかし部材
１１１ａ・・・  開口
１１２  ・・・  ベースプレート
１１３  ・・・  連結ネジ
１２０  ・・・  鏡
１２１  ・・・  縁部
１２２  ・・・  前面
１２３  ・・・  背面
１３０  ・・・  照明装置
１３１  ・・・  ＬＥＤ付基板
１３１ａ・・・  ＬＥＤ（光源）
１３２  ・・・  不透過性部材
１３２ａ・・・  垂直部
１３２ｂ・・・  傾斜部
１３２ｃ・・・  水平部
１３２ｄ・・・  第一反射面
１３３  ・・・  背面透光部材
１３３ａ・・・  膨出部
１３４  ・・・  前面透光部材
１３４ａ・・・  透光部
１３４ｂ・・・  鏡対向部
１３４ｃ・・・  第二反射面
１３５  ・・・  ＬＥＤ固定金具
１３６  ・・・  締結ネジ
Ｌ    ・・・  洗面台
Ｗ    ・・・  壁面
ＳＬ  ・・・  直進光
ＡＬ  ・・・  接近光
ＬＬ  ・・・  離隔光
【図１】
0006323796.tif 000002
【図２】
0006323796.tif 000003
【図３】
0006323796.tif 000004
【図４】
0006323796.tif 000005